(57)【要約】【課題】  気泡痕のない平滑面を有するコンクリート製品を得ることのできる面圧成形方法及び面圧成形装置を提供すること。【解決手段】  型枠固定テーブルを旋回させる旋回機構と、型枠固定テーブルに衝撃を付与する衝撃機構とを備え、型枠固定テーブル上に設置された型枠に衝撃力と遠心力を付与することにより型枠面とこれに接するコンクリートとの面圧を高め気泡を接触面から排除するのでので、気泡痕のない平滑面を有するコンクリート製品を得ることができる。【選択図】  図１
2005081666.tif 000002
【特許請求の範囲】
【請求項１】
型枠固定テーブルを旋回させる旋回機構と、
型枠固定テーブルに衝撃を付与する衝撃機構とを備え、
型枠固定テーブル上に設置された型枠に衝撃力と遠心力を付与することにより型枠面とこれに接するコンクリートとの面圧を高め気泡を接触面から排除することを特徴とする面圧成形装置。
【請求項２】
前記衝撃機構は、型枠固定テーブルを摺動可能に支持するスライド部材と、型枠固定テーブルを前記スライド部材に沿って駆動する油圧シリンダと、前記スライド部材に沿って移動している型枠固定テーブルを急激に停止させるストッパとから構成されたことを特徴とする請求項１に記載の面圧成形装置。
【請求項３】
前記スライド部材は、型枠固定テーブルを水平移動可能に支持することを特徴とする請求項１または２に記載の面圧成形装置。
【請求項４】
前記スライド部材は、型枠固定テーブルを垂直移動可能に支持することを特徴とする請求項１または２に記載の面圧成形装置。
【請求項５】
型枠固定テーブルを旋回させるとともに、
型枠固定テーブルに衝撃を付与し、型枠固定テーブル上に設置された型枠に衝撃力と遠心力を付与することにより型枠面とこれに接するコンクリートとの面圧を高め気泡を接触面から排除することを特徴とする面圧成形方法。
【発明の詳細な説明】
【技術分野】
【０００１】
本発明は、型枠内に充填するコンクリートを型枠の隅々まで空隙なく行き渡らせるとともに、型枠表面とこれに接するコンクリートとの面圧を短時間に高め、内在する気泡を排除して製品表面から気泡痕をなくすことのできる面圧成形装置及び面圧成形方法に関するものである。
【背景技術】
【０００２】
従来、型枠内へのコンクリートの充填性を向上し、気泡を排除するべく種々の方法が提案されている。例えば、図３に示すように型枠固定テーブル１を防振ゴム２で支持するとともに、加振機３を型枠固定テーブル１の一部に取り付けたものが存在した。これは、テーブルバイブレター打設方式と称されるものであり、加振機３により振動する型枠固定テーブル１の上に型枠４を載せ、打設したコンクリートに振動を与えて気泡を取り除くものである。また、図４に示すものは、型枠４の外部に加振機５を直接取り付けている。これは、外部振動機打設方式と称されるものである。これは、型枠４に直接振動を与えてコンクリートの充填性の向上と気泡の排除を目的としている。
【０００３】
また、他の公知例として、高周波振動や低周波振動を付与するものが、例えば、特開２００２−９６３０９号公報等に開示されている。更に、型枠に垂直振動または水平振動を付与するものが、特開平９−１４１２０２号公報に開示されている。
【０００４】
【特許文献１】特開２００２−９６３０９号公報
【特許文献２】特開平９−１４１２０２号公報
【発明の開示】
【発明が解決しようとする課題】
【０００５】
しかし、従来の型枠に各種振動を付与する形式のものでは、図５に示すようにコンクリート製品６から気泡痕７を完全に取り除くことができなかった。これは、気泡が表面張力等によって発生しており、型枠４に振動を加えたのみでは完全に除去することはできないと云う問題点が存在した。また、従来、気泡痕を有するコンクリート製品は、手作業で埋め戻し処理を行う必要があり、作業工数が増して工期が長くなるとともに、コストアップにもなっていた。
【課題を解決するための手段】
【０００６】
前記目的を達成するために、請求項１に記載の発明は、型枠固定テーブルを旋回させる旋回機構と、型枠固定テーブルに衝撃を付与する衝撃機構とを備え、型枠固定テーブル上に設置された型枠に衝撃力と遠心力を付与することにより型枠面とこれに接するコンクリートとの面圧を高め気泡を接触面から排除することを特徴としている。
【０００７】
また、請求項２に記載の発明において、前記衝撃機構は、型枠固定テーブルを摺動可能に支持するスライド部材と、型枠固定テーブルを前記スライド部材に沿って駆動する油圧シリンダと、前記スライド部材に沿って移動している型枠固定テーブルを急激に停止させるストッパとから構成されたことを特徴とするものである。
【０００８】
また、請求項３に記載の発明において、前記スライド部材は、型枠固定テーブルを水平移動可能に支持することを特徴とするものである。
【０００９】
また、請求項４に記載の発明において、前記スライド部材は、型枠固定テーブルを垂直移動可能に支持することを特徴とするものである。
【００１０】
また、請求項５に記載の発明において、型枠固定テーブルを旋回させるとともに、型枠固定テーブルに衝撃を付与し、型枠固定テーブル上に設置された型枠に衝撃力と遠心力を付与することにより型枠面とこれに接するコンクリートとの面圧を高め気泡を接触面から排除することを特徴とするものである。
【発明の効果】
【００１１】
この発明は前記した構成からなるので、以下に説明するような効果を奏することができる。
【００１２】
請求項１に記載の発明では、型枠固定テーブルを旋回させる旋回機構と、型枠固定テーブルに衝撃を付与する衝撃機構とを備え、型枠固定テーブル上に設置された型枠に衝撃力と遠心力を付与することにより型枠面とこれに接するコンクリートとの面圧を高め気泡を接触面から排除するので、気泡痕のないきれいな表面を有するコンクリート製品を得ることができる。
【００１３】
また、請求項２に記載の発明において、前記衝撃機構は、型枠固定テーブルを摺動可能に支持するスライド部材と、型枠固定テーブルを前記スライド部材に沿って駆動する油圧シリンダと、前記スライド部材に沿って移動している型枠固定テーブルを急激に停止させるストッパとから構成されたので、型枠固定テーブルがストッパに衝突する際に型枠が衝撃を受け、衝突した側の面圧が上昇して気泡を排除することができる。また、型枠固定テーブルは、順次回転しているので型枠の周囲が満遍なく面圧上昇して気泡が排除される。したがって、中空コンクリート製品、例えば、マンホールの周面に気泡痕のない製品を製造することができる。
【００１４】
また、請求項３に記載の発明において、前記スライド部材は、型枠固定テーブルを水平移動可能に支持するので、型枠固定テーブルが水平方向の衝撃を受け、中空コンクリート製品の周面に気泡痕のないきれいな製品を製造することができる。
【００１５】
また、請求項４に記載の発明において、前記スライド部材は、型枠固定テーブルを垂直移動可能に支持するので、型枠固定テーブルが鉛直方向の衝撃を受け、上下面に気泡痕のないきれいな製品を製造することができる。
【００１６】
また、請求項５に記載の発明において、型枠固定テーブルを旋回させるとともに、型枠固定テーブルに衝撃を付与し、型枠固定テーブル上に設置された型枠に衝撃力と遠心力を付与することにより型枠面とこれに接するコンクリートとの面圧を高め気泡を接触面から排除するので、周囲に気泡痕のないコンクリート製品を製造することができる。
【発明を実施するための最良の形態】
【００１７】
本発明は、型枠面とこれに接するコンクリートとの面圧を高めるとともに衝撃を加えて、気泡痕のない平滑面を有するコンクリート製品を得ることのできる面圧成形方法及び面圧成形装置を実現した。
【実施例１】
【００１８】
以下、一実施の形態を示す図面に基づいて本発明を詳細に説明する。図１は、本発明に係る面圧成形装置の一例を示す平面図、図２は本発明の面圧成形装置を示す正面図である。ここで、面圧成形装置１０は、型枠固定テーブル１１を旋回させる旋回機構１２と、型枠固定テーブル１１に衝撃を付与する衝撃機構１３とを備えている。
【００１９】
型枠固定テーブル１１は、本実施例では円形をしており支持軸１４を中心に旋回機構１２によって回転可能に支持されている。ここで、旋回機構１２は、支持軸１４の下端に固着された歯車１５と、歯車１５に巻回されたチェーン１６、駆動モータ１７、モータの駆動軸に固着された駆動歯車１７ａ等から構成されている。また、型枠固定テーブル１１の周囲は、複数の支持ローラ１８、１９によって支持台２０に対して回動可能に支持されている。更に、支持台２０には、支持ローラ１８が型枠固定テーブル１１の側面に当接して回転するように取り付けられている。また、支持ローラ１９は、型枠固定テーブル１１の底面を支持するように回転可能に支持台２０に取り付けられている。前述の駆動モータ１７も支持台２０に取り付けられている。
【００２０】
支持台２０は、衝撃機構１３によって支持されており、衝撃機構１３はベース２１上に複数配置されたスライド部材である支承ローラ２２と、支持台２０の左右に配置された油圧シリンダ２３と、弾性部材、例えば合成ゴム等で構成されたストッパ２４と、ベース２１側に対向配置された当接部材２５等から構成されている。また、支持台２０は、支承ローラ２２によって水平移動可能に支承されるとともに、左右に配置された油圧シリンダ２３に連結されている。更に、支持台２０の左右両端端部には、弾性部材例えば、合成ゴム等で構成されたストッパ２４が配設されており、ベース２１側に対向配置された当接部材２５と当接可能に配置されている。
【００２１】
次に、以上のように構成された本発明に係る面圧成形装置１０の動作について説明する。先ず、型枠固定テーブル１１上に設置された型枠にコンクリートを打設する。型枠に遠心力を付与する為に、旋回機構１２により型枠固定テーブル１１を回転させる。回転速度は、駆動モータ１７の回転数を調整することにより設定することができる。型枠固定テーブル１１の回転によって、型枠の周面と打設したコンクリートとの面圧が上昇する。面圧が上昇することにより気泡が排除される。更に、左右の油圧シリンダ２３を駆動して、ストッパ２４を当接部材２５に衝突させる。ストッパ２４が当接部材２５に衝突することによって、型枠に衝撃が付与され、型枠側部の面圧が上昇する。衝撃機構１３は、この動作を繰り返すとともに、旋回機構１２によって型枠固定テーブル１１が旋回するので、型枠周囲の面圧が満遍なく上昇する。したがって、型枠とコンクリートとの接触面に存在する気泡が消失したり、コンクリートの内部に移動したりする。このため、気泡痕の無い表面のきれいなコンクリート二次製品を製造することができる。
【００２２】
以上の実施の形態では、衝撃機構１３は型枠固定テーブル１１を水平移動可能に支持する場合について説明したが、型枠固定テーブル１１を垂直移動可能或いは垂線に対して所定角度傾斜して支持してもよい。また、油圧シリンダの代わりに他の駆動機構を使用するものであってもよい。
【００２３】
なお、以上の実施の形態では、型枠固定テーブル１１を旋回させる旋回機構について、駆動モータ１７とチェーン１６及び歯車１５から構成した例について説明した、型枠固定テーブル１１を旋回させるものであれば他の機構であってもよいう。
【図面の簡単な説明】
【００２４】
【図１】図１は、本発明に係る面圧成形装置の一例を示す平面図である。
【図２】図２は、同面圧成形装置を示す正面図である。
【図３】図３は、従来の成形装置の一例を示す側面図である。
【図４】図４は、従来の成形装置の別の例を示す側面図である。
【図５】図５は、従来の成形装置によって製造したコンクリート製品を示す斜視図である。
【符号の説明】
【００２５】
１０      面圧成形装置
１１      型枠固定テーブル
１２      旋回機構
１３      衝撃機構
１４      支持軸
１５      歯車
１６      チェーン
１７      駆動モータ
１８      支持ローラ
１９      支持ローラ
２０      支持台
２１      ベース
２２      支承ローラ
２３      油圧シリンダ
２４      ストッパ
２５      当接部材
【図１】
2005081666.tif 000003
【図２】
2005081666.tif 000004
【図３】
2005081666.tif 000005
【図４】
2005081666.tif 000006
【図５】
2005081666.tif 000007